(57)【特許請求の範囲】
【請求項１】
外筒の内周に沿って摺接回転するスパイラル羽根を有するスクリュにより濾過ないし移送に用いる前記スパイラル羽根のスクレーパであって、スパイラル羽根の外周を、外筒の内周と非接触とし、かつスパイラル羽根の外周に一定の長さに多数分割したスパイラル状の案内部を設け、この案内部に沿って多数の円弧状のスクレーパ片を嵌合させ、前記多数のスクレーパ片と前記案内部は、接触面において周方向にテーパー形状を共に有し、この隣り合うスクレーパ片を外筒の内周に摺接させ、スクレーパ片を上昇できるようにして成ることを特徴とするスクレーパ。
【請求項２】
スクレーパ片は、ポリテトラフルオロチレン、またはポリエチレンで形成して成ることを特徴とする請求項１記載のスクレーパ。
【請求項３】
案内部は、凹溝であることを特徴とする請求項１記載のスクレーパ。
【請求項４】
請求項１ないし３いずれか１項に記載のスクレーパを備えた流体の濾過装置。
【発明の詳細な説明】
【技術分野】
【０００１】
本発明は、各種流体の移送および主として食品などのジュース抽出用流体を濾過するための回転羽根に用いるスクレーパおよびその流体の濾過装置に関する。
【背景技術】
【０００２】
一般にスクレーパは、種々流体を移送する際に回転作用により外筒の内周に摺接させて流体の漏れを無くして作動させなければならない。
【０００３】
スパイラル羽根の外周端面に、長尺な線状のスクレーパ片を捲装したものが知られているが（例えば、特許文献１参照）、使用により磨耗すると長さが短尺となり気密性を失い、移送不能の状態になることが生ずる。
【０００４】
これに対し、スクレーパ片を分割してバネ部材を用い移動不能の構成とすることにより、磨耗しても常時気密性を保持して移送を失うという不都合を回避できるスクレーパも知られている（例えば、特許文献２参照）。
【特許文献１】特許第２５５１４８０号公報
【特許文献２】特公平６−４２９３１号公報
【発明の開示】
【発明が解決しようとする課題】
【０００５】
ところが最近に至り、野菜、果実などのジュース抽出などの濾過や移送が多くなり、スクレーパの食品安全性が強く叫ばれ、洗滌などで処理した食品が完全に除去されなければならない必要性がある。
【０００６】
本発明は叙上の点に着目して成されたもので、部品の少ない自動杠上手段による自動杠上作用で、スクレーパを設けるようにした食品安全性の高いスクレーパおよびその流体の濾過装置を提供することを目的とする。
【課題を解決するための手段】
【０００７】
本発明は以下の構成により上記課題を解決した。
【０００８】
（１）外筒の内周に沿って摺接回転するスパイラル羽根を有するスクリュにより濾過ないし移送に用いる前記スパイラル羽根のスクレーパであって、スパイラル羽根の外周を、外筒の内周と非接触とし、かつスパイラル羽根の外周に一定の長さに多数分割したスパイラル状の案内部を設け、この案内部に沿って多数の円弧状のスクレーパ片を嵌合させ、前記多数のスクレーパ片と前記案内部は、接触面において周方向にテーパー形状を共に有し、この隣り合うスクレーパ片を外筒の内周に摺接させ、スクレーパ片を上昇できるようにして成ることを特徴とするスクレーパ。
【００１０】
（２）スクレーパ片は、ポリテトラフルオロチレン、またはポリエチレンで形成して成ることを特徴とする前記（１）記載のスクレーパ。
【００１１】
（３）案内部は、凹溝であることを特徴とする前記（１）記載のスクレーパ。
【００１２】
（４）前記（１）ないし（３）いずれか１項に記載のスクレーパを備えた流体の濾過装置。
【発明の効果】
【００１３】
本発明によれば、流体の移行を不可欠とする濾過ないしは移送において、外筒または固定の軸などの内周面または外周面に摺接するスクレーパは使用頻度に応じて磨耗し、スクレーパ片が短尺となっても各スクレーパ片はスパイラル羽根の外方向へ伸長して摺接状態を変えることなく自動杠上手段によりスクレーパの高さを常時高めるように働き、特にテーパー作用力により常時有効にスクレーパ作動を続けることができる。これによりバネ手段を用いることなく各種流体の移送や濾過用として用いられ、かつ部品点数を少なくして広く利用できる。
【発明を実施するための最良の形態】
【００１４】
以下本発明を実施するための最良の形態を、実施例により詳しく説明する。
【実施例】
【００１５】
図１ないし図３に基づいて、本発明の一実施例を説明する。
【００１６】
この一実施例は、所謂、スクリュ軸を用いた場合を示すもので、例えば図６に示すような濾過ないし移送のための外筒１に対し、所望の駆動手段Ｍで一定方向に回転して各種流体を、供給口ＩＮより吐出口ＯＵＴへ移送するためのスクリュウ軸２を外筒１内に配設した構成を示しており、所謂軸とスクリュウとが一体に構成する場合を示す。なお、外筒１に図示のように濾過孔を設ければ濾過装置として用いられ、単に無孔の外筒であれば可塑物などの移送装置として用いられる。
【００１７】
軸部３に対し、その外周にスパイラル羽根４を有し、スパイラル羽根４の外筒１との摺接部にスクレーパＡが介装されて、スクリュウ軸は圧力が漏れを生じることなく各種流体を移送させることができるものである。
【００１８】
５はスクリュウ羽根の外周に設けた案内部で、図示では凹溝５ａで形成されている。この凹溝５ａは一定の長さ毎に区劃され、仕切壁６を設けてあり、隣り合う仕切壁６を設けてあり隣り合う仕切壁６，６との間にスクレーパ片７を挿入する。このスクレーパ片７は自動杠上手段Ｂに相当する底辺がテーパー８を有し、このテーパー８と反対する傾斜面９を凹溝５ａ内に設けられ、スクレーパ片７はこの傾斜面９に沿って摺動できるようになっている。すなわち、スクレーパ片７の前後端部には、隣り合うスクレーパ片７と隣り合う重合部１０を有し、この重合部１０において前記仕切壁６上で載置されると共に、重合部１０の片方の下部には切欠部１１を形成して、この切欠部１１の幅だけで仕切壁６とは離間している。即ち、スクリュウ軸２が回転駆動すればスクレーパ片７がスクレーパ作動で外筒１の内周を摺接して次第に磨耗する。そしてスクレーパ片７の表面は低くなり、全体の高さが低くなる。するとスクレーパ片７の底辺はテーパー８となっているので、このテーパー８と当接している凹溝５ａの底部は反対の傾斜面９に摺動してスクレーパ片７の回転方向に順応して杠上され、再び磨耗した分だけスクレーパ片７は外方に突出し、スクレーパ作動を支障なく行わせることができる。そして、図３（ａ）に示すように外筒１の内周面と非接触のスパイラル羽根４の頂部Ｌより僅かに突出したスクレーパ片７の最上面Ｌ１は、磨耗しても常に外方に突出可能となる。
【００１９】
この磨耗によるスクレーパ片７の度合がスクレーパ片７の切欠部１１が仕切壁６に当接してスクレーパ片７のテーパー８による傾斜面９上での移動が停止するまでの間、継続してスクレーパ片７の作動をスパイラル羽根４の全域で確実に行わせることができるので長期に亘ってスクレーパ作動を行わせることができる。
【００２０】
さらに各スクレーパ片７，７，・・・の隣り合う端部は、隣り合う重合部１０を形成しているので隣り合うスクレーパ片７，７，・・・が磨耗してテーパー８による移動をしても、その重合部１０は移動し乍ら常に重合状態を保持しているので、圧力漏れなどの不都合は生じないという利点がある。
【００２１】
つぎに図４および図５について第２の実施例を説明する。
【００２２】
この実施例は図１（ａ），（ｂ）および図２に示す第１の実施例の変形を示すもので、凹溝を一定の深さの凹溝５ｂとし、スクレーパ片７のテーパー８に対し、反対方向の傾斜面９を有する当片１２を配設しただけである。したがって、作用効果は第１の実施例と同一であるので、図中同一の符号を付し、説明は重複となるので省く。
【００２３】
つぎに本発明の各実施例において、いずれかの場合もスクレーパ片７は専らテーパー８の傾斜力を自力の回転作用を用いて摺接部分の磨耗減少分を杠上させて、長期に亘るスクレーパ効果を働かせている。したがって、特に果実、野菜などの食品加工において衛生処理を有効に行われることができる。
【００２４】
しかし乍ら、高圧処理を有効に行わせる上で、スクレーパ片自体に上下二重構成を施し、スクレーパ片はテフロン（登録商標）、ポリエチレンなどの安全性の高い合成樹脂材料を用い、かつ同効材料の弾性ゴムをうらめんに一体に設けて併用することもできる。
【図面の簡単な説明】
【００２５】
【図１】本発明の一実施例を示すもので、（ａ）は要部の一部縦断面図、（ｂ）は要部の側面図
【図２】スクレーパ部の取付状態の拡大断面図
【図３】本発明の作用説明図を示すもので、（ａ）は全体を直線状に展開変形して示す解析図、（ｂ）はその平面図、（ｃ）はスクレーパ重合部の一例を示す拡大斜面図
【図４】本発明の他例を示す要部の一部縦断面図
【図５】スクレーパ部の取付状態拡大断面図
【図６】本発明に係るスクレーパをスクリュウ軸に設けて濾過ないし移送装置に用いた例を示す説明概略図
【符号の説明】
【００２６】
１    外筒
２    スクリュウ軸
３    軸部
４    スパイラル羽根
５    案内部
５ａ，５ｂ  凹溝
６    仕切壁
７    スクレーパ片
８    テーパー
９    傾斜面
１０  重合部
１１  切欠部
１２  当片
１３  弾性体
Ａ    スクレーパ
Ｂ    自動杠上手段
Ｌ１  スクレーパ片の最上面でスパイラル羽根の頂面Ｌより僅かに外方に突出して外筒の内周と摺接できるようになっている
【図１】
0004633670.tif 000002
【図２】
0004633670.tif 000003
【図３】
0004633670.tif 000004
【図４】
0004633670.tif 000005
【図５】
0004633670.tif 000006
【図６】
0004633670.tif 000007